(57)【特許請求の範囲】
【請求項１】
エアゾール容器のステムに噴出部を設け、この噴出部の外周に臨ませて、エアゾール容器方向に下降して固定可能な押釦を配置し、この押釦に、エアゾール内容物の噴出圧力で上端の噴射ノズルから排出可能な高粘度物を収納した収納室を配置し、この収納室の下端を噴出部の上部に臨ませて配置し、収納室の噴出部側を、噴出部への押圧によって破断可能な封印部で密閉するとともに、押釦に、高粘度物及びエアゾール内容物が噴射可能な噴射ノズルを収納室に連通して形成した事を特徴とするエアゾール用遅延噴射装置。
【請求項２】
エアゾール容器のステムに噴出部を設け、この噴出部の外周に臨ませて、エアゾール容器方向に下降して固定可能な押釦を配置し、この押釦に、エアゾール内容物の噴出圧力で上端の噴射ノズルから排出可能な高粘度物を収納した収納室を配置し、この収納室の下端を噴出部の上部に臨ませて配置し、収納室の噴出部側を、噴出部への押圧によって破断可能な封印部で密閉するとともに、押釦に、高粘度物及びエアゾール内容物が噴射可能な噴射ノズルを収納室に連通して形成し、この噴射ノズルと収納室を配置した押釦に、噴射ノズルに接続する高粘度物の回収部を設けた断面コ字型のキャップを接続するとともに、このキャップの下端と押釦の天板上面との間隔に噴射ノズルと連通する流通間隔を設け、この流通間隔と連通するエアゾール内容物の噴出路をキャップの外周部に形成した事を特徴とするエアゾール用遅延噴射装置。
【請求項３】
高粘度物は、粘度を５，０００ｃＰ〜２，０００，０００ｃＰとした事を特徴とする請求項１または２のエアゾール用遅延噴射装置。
【請求項４】
押釦の固定は、エアゾール容器のマウンテンカップに係合した肩カバーの中央部に押釦を挿通するための装着口を設け、この装着口の内面下端にマウンテンカップ方向に突出する係合テーパー面を形成し、この係合テーパー面に、押釦の外周に突出した係合鍔を係合して行う事を特徴とする請求項１または２のエアゾール用遅延噴射装置。
【請求項５】
押釦は、収納室の下端にステムを密接して導入する導入部を設けた事を特徴とする請求項１または２のエアゾール用遅延噴射装置。
【発明の詳細な説明】
【０００１】
【産業上の利用分野】
本発明は、バルブ機構の開弁操作後に、一定の時間を経過してからエアゾール内容物の噴射が行われるようにする、エアゾール用遅延噴射装置に係るもので、殺虫剤の噴射等、人体に悪影響を及ぼすような内容物の大量噴射に用いる場合に特に有効なものである。
【０００２】
【従来の技術】
従来、密閉室内に殺虫剤等を大量に噴霧し、ゴキブリ、ダニ等の、室内の有害虫を排除するために用いられるエアゾール装置に、エアゾール内容物の連続的な噴射を可能とするとともに、このエアゾール内容物の噴射と噴射開始操作との間にタイムラグを設ける遅延噴射機構を設けたものが存在する。この遅延噴射機構により、エアゾール内容物の噴射開始操作を行った後に、この操作者が、エアゾール内容物の噴射開始前に、安全に室外に退去できるものとしている。
【０００３】
そして、このようなエアゾール内容物の遅延噴射を行う方法として、特公平８−２９７９２号に開示される如く、エアゾール内容物の噴射経路に、粘性の高い高粘度物を充填したものが存在する。この高粘度物の充填は、エアゾール装置のハウジング内に、エアゾール内容物と常時接触して行うものである。また、上記発明の他の従来方法は、エアゾール装置と別個に設けた収納室に高粘度物を充填し、この収納室とエアゾール装置とをチューブで連結し、このチューブを介してエアゾール内容物を収納室に供給するようにしている。
【０００４】
そして、エアゾール内容物の噴射を行うには、エアゾール装置の制御弁を開弁し、エアゾール内容物の噴出圧力によって、エアゾール内容物とこの内容物の噴射ノズルとの間に介在する高粘度物を除去した後に、エアゾール内容物を噴射ノズルから噴射するものである。このエアゾール内容物と噴射ノズルの間に介在する高粘度物の排出に一定の時間を要する結果、エアゾール内容物の遅延噴射が可能となるものである。
【０００５】
【発明が解決しようとする課題】
しかしながら、ハウジング内に高粘度物を収納する方法では、この高粘度物とエアゾール内容物とが常時接触しているため、これらが化学反応して変質する可能性が高く、好ましいものではない。また、チューブを使用して高粘度物の収納室にエアゾール内容物を供給する方法では、製造工程を極めて複雑としたり、操作中にチューブが折れ曲がったり外れたりして、エアゾール内容物の噴射を良好に行えなくなる可能性があった。
【０００６】
本発明は上述の如き課題を解決しようとするものであって、複雑な機構を用いる事なく、簡易な構成により信頼性の高い、エアゾール内容物の遅延噴射を可能とするものである。そして、この遅延噴射機構を、高粘度物をエアゾール内容物の噴出経路に収納する事により構成し、この高粘度物やエアゾール内容物の噴出を妨げる事がない製品を得ようとするものである。
【０００７】
【課題を解決するための手段】
本発明は、上述の如き課題を解決するため、エアゾール容器のステムに噴出部を設け、この噴出部の外周に臨ませて、エアゾール容器方向に下降して固定可能な押釦を配置し、この押釦に、エアゾール内容物の噴出圧力で上端の噴射ノズルから排出可能な高粘度物を収納した収納室を配置し、この収納室の下端を噴出部の上部に臨ませて配置し、収納室の噴出部側を、噴出部への押圧によって破断可能な封印部で密閉するとともに、押釦に、高粘度物及びエアゾール内容物が噴射可能な噴射ノズルを収納室に連通して形成して成るものである。
【０００８】
また、第２の発明は、エアゾール容器のステムに噴出部を設け、この噴出部の外周に臨ませて、エアゾール容器方向に下降して固定可能な押釦を配置し、この押釦に、エアゾール内容物の噴出圧力で上端の噴射ノズルから排出可能な高粘度物を収納した収納室を配置し、この収納室の下端を噴出部の上部に臨ませて配置し、収納室の噴出部側を、噴出部への押圧によって破断可能な封印部で密閉するとともに、押釦に、高粘度物及びエアゾール内容物が噴射可能な噴射ノズルを収納室に連通して形成し、この噴射ノズルと収納室を配置した押釦に、噴射ノズルに接続する高粘度物の回収部を設けた断面コ字型のキャップを接続するとともに、このキャップの下端と押釦の天板上面との間隔に噴射ノズルと連通する流通間隔を設け、この流通間隔と連通するエアゾール内容物の噴出路をキャップの外周部に形成して成るものである。
【０００９】
また、高粘度物は、粘度を５，０００ｃＰ〜２，０００，０００ｃＰとしても良い。
【００１０】
また、押釦の固定は、エアゾール容器のマウンテンカップに係合した肩カバーの中央部に押釦を挿通するための装着口を設け、この装着口の内面下端にマウンテンカップ方向に突出する係合テーパー面を形成し、この係合テーパー面に、押釦の外周に突出した係合鍔を係合して行っても良い。
【００１１】
また、押釦は、収納室の下端にステムを密接して導入する導入部を設けても良い。
【００１２】
【作用】
本発明は、上述の如く構成したものであるから、エアゾール内容物の噴射を行おうとする場合には、押釦をエアゾール容器方向に下降して固定する。この押釦の固定により、バルブ機構のステムの外周に臨ませて配置していた押釦が下降する。この押釦の下降により、押釦がステムをエアゾール容器の内部方向に押圧して、バルブ機構を開弁する。このステムの押圧は、一度押圧操作を行う事によって、以後特別な操作を行う事なく継続的に押圧され、開放状態が持続する。
【００１３】
また、この押釦とステムとの係合により、押釦の収納室を密封する封印部が、ステムの噴出部により破断される。すると、噴出部と収納室とが連通し、エアゾール容器内のエアゾール内容物が噴出部から収納室内に噴射される。また、押釦には、収納室の下端に、ステムを密接して導入可能な導入部を設ければ、この噴出部による封印部の破断の位置合わせを正確なものとし、噴出部と収納室との連通が確実なものとなる。更に、この導入部へのステムの導入により、押釦とステムとが確実に係合して、押釦によるステムの押圧を安定して行う事ができるとともに、噴出部と収納室の連通部分から、エアゾール内容物が漏れるのを防ぐものとなる。
【００１４】
この収納室には、高粘度物を収納しているため、収納室内に流入したエアゾール内容物が噴射ノズルから直ちに噴射される事はない。まず、エアゾール内容物の噴出圧力により、高粘度物が噴射ノズルから外部に排出される。この高粘度物は、粘性があるため、一気に噴射される事はなく、一定の時間を経過して排出されるものとなる。そして、高粘度物の排出が終了すると、エアゾール内容物の噴射を阻むものが除去されるので、噴射ノズルからこのエアゾール内容物が外部に連続的に噴射される。また、この一定時間の経過後は、収納室から高粘度物が外部に排出されるので、以後のエアゾール内容物の噴射に何ら支障を生じる事がないものである。
【００１５】
このように、操作者が押釦を操作して噴射開始操作を行ってから、エアゾール内容物が噴射されるまでの間に、高粘度物の排出によるタイムラグが生じるので、操作者は、このタイムラグの間に室外に退去可能となり、室内に噴射されるエアゾール内容物と接触する危険を防止できる。
【００１６】
また、高粘度物は、ステムの噴出部側を封印部で密封した収納室に収納されているので、使用前はエアゾール内容物と接触する事がない。従って、従来の如き化学変化による変質が起こらず、良好な高粘度物及びエアゾール内容物の噴射を可能とする。また、高粘度物は、ロジンエステル、シリコン樹脂、その他を使用できる。そして、粘度を５，０００ｃｐ〜２，０００，０００ｃＰとすれば、噴射ノズルを目詰まりさせる事なく外部に排出されるとともに、一気に噴射されずに、操作者が室内から確実に退去可能な時間を経過して排出されるものとなる。また、上述の如き高粘度物は、低コストで扱い易く、操作中に人体に付着等しても安全なものである。
【００１７】
また、封印部は上記の如き高粘度物の成分や重量で簡単に劣化したり破断される事がなく、しかもノズルの噴出部で簡単に破断可能なように、素材、厚さなどを考慮して形成するのが望ましい。
【００１８】
また、上記の発明では、高粘度物は室内に排出されてしまい、壁や床等を汚す虞れがある。そこで、第２の発明では、第１の発明の如き噴射ノズルと収納室を配置した押釦に、キャップを接続している。このキャップは、噴射ノズルに接続する高粘度物の回収部を設けて断面コ字型に形成するとともに、押釦に接続した際に、キャップの下端と収納室の天板上面との間隔に、噴射ノズルと連通する流通間隔を設けている。そして、この流通間隔と連通するエアゾール内容物の噴出路をキャップの外周部に形成している。
【００１９】
上記の如くキャップを構成する事により、押釦の噴射ノズルとキャップの噴出路とが連通し、外部にエアゾール内容物を噴射可能とする。そして、第１の発明と同様に、噴射開始操作を行うと、エアゾール内容物の噴出圧力によって収納室の高粘度物が噴射ノズルからキャップの回収部内に一定の時間を経過しながら排出される。この高粘度物は、粘性があるため、流通間隔を介して噴出路に流動する事はなく、回収部内に滞留する。
【００２０】
そして、収納室の高粘度物の排出が完了すると、エアゾール内容物が噴射ノズルから回収部内に噴射される。このエアゾール内容物の噴射により、回収部内の高粘度物は、キャップの天面方向に押し上げられるとともに、回収部の内部圧力が上昇する。この圧力により、エアゾール内容物は、流通間隔から噴出路に直接流動し、外部に連続的に噴出する。
【００２１】
このように、噴射ノズルの上面にキャップを接続する事により、エアゾール内容物噴射時に高粘度物がキャップの回収部に回収されるため、室内に排出される事がないものとなる。従って、室内を高粘度物で汚す事のない、良好なエアゾール内容物の噴射が可能となる。また、出荷時には、キャップの天面を噴射ノズル側に配置して、キャップを押釦に接続する事により、キャップの天面で噴射ノズルを密閉するから、未使用時の高粘度物の漏れや乾燥を良好に防止する事ができる。
【００２２】
また、上記の押釦の固定は、エアゾール容器のマウンテンカップに肩カバーを係合し、この肩カバーに押釦を係合して行うものであっても良い。その構造は、肩カバーの中央部に押釦を挿通するための装着口を設け、この装着口の内面下端にマウンテンカップ方向に突出する係合テーパー面を形成し、押釦の外周に係合鍔を突出する。そして、押釦を円周方向に回動する事により、係合鍔が肩カバーの係合テーパー面に沿って、ステム方向に次第に下降しながら係合する。この係合が完了した後は、押釦の押圧状態を持続する事ができる。
【００２３】
そして、上記のエアゾール容器は、内容物として、空間用殺虫剤、ゴキブリ用殺虫剤、園芸用殺虫剤、殺鼠剤、ダニ用殺虫剤、不快害虫剤、忌避剤、空間用殺菌剤、アリ用殺虫剤、その他の殺虫剤、または、帯電防止剤、室内消臭剤、室内用芳香剤、防黴剤その他の家庭用品に用いる事ができる。
【００２４】
【実施例】
以下、本発明の一実施例を図面に於て説明すれば、(１)はエアゾール容器で、適宜のエアゾール内容物を充填しており、図１に示す如く、上端にマウンテンカップ(２)を固定するとともに、このマウンテンカップ(２)の中央部には、ステムガスケット(３)を介して、ステム(４)を進退可能に突出固定している。そして、このステム(４)には、先端を鋭角とするエアゾール内容物の噴出部(５)を設けるとともに、エアゾール容器(１)内に於て、このステム(４)の下端にバルブ機構(６)を設置している。このバルブ機構(６)は、既存の適宜のものを使用する事ができ、オリフィス(７)を介してステム(４)の噴出部(５)と連通している。このオリフィス(７)は、通常はステムガスケット(３)により閉止されている。尚、本実施例では、従来公知のステム(４)の上端に、先端を鋭角とする部材を別個に接続する事により、先端を鋭角とする噴出部(５)を設けたステム(４)を構成している。
【００２５】
また、マウンテンカップ(２)には、図１に示す如く、巻締部(８)の内周に肩カバー(１０)を係合している。そして、肩カバー(１０)の上端外周には、水平方向に環状鍔(１１)を突出し、巻締部(８)の上端に係合する事により、エアゾール内容物の噴射開始操作時に、肩カバー(１０)がエアゾール容器(１)方向へ不必要に摺動するを防止している。また、肩カバー(１０)の中央部には、押釦(１２)を挿通するための装着口(１３)を設け、この装着口(１３)の内面には、一対の嵌合鍔(１４)を、嵌合間隔(１５)を介して突出し、この嵌合鍔(１４)のマウンテンカップ(２)側の下端には、マウンテンカップ(２)の基盤方向に傾斜する、一対の係合テーパー面(１６)を形成している。
【００２６】
また、肩カバー(１０)には、装着口(１３)の上端に臨ませて、図４に示す如く、破断容易なヒンジ部(１７)を介して押釦(１２)を一体に連結形成している。この押釦(１２)は、上端に噴射ノズル(１８)を設けるとともに、下端外周には、肩カバー(１０)の係合テーパー面(１６)に係合可能で、嵌合間隔(１５)を挿通可能な一対の係合鍔(２０)を突出している。この係合鍔(２０)が係合テーパー面(１６)と係合しない状態に於ては、押釦(１２)はステム(４)を押圧する事がなく、エアゾール容器(１)内の弁を非開放状態としている。
【００２７】
そして、使用時にヒンジ部(１７)を破断する事により、押釦(１２)を操作して押釦(１２)の係合鍔(２０)と係合テーパー面(１６)との係合を可能としている。この係合により、押釦(１２)がステム(４)を連続的に押圧する。このように、係合テーパー面(１６)を設けた肩カバー(１０)と押釦(１２)の係合鍔(２０)とで、連続噴射機構を構成している。この連続噴射機構は、上記方法の他に従来公知の任意の機構を選択して使用することが可能であり、押釦(１２)を押圧後に固定するようにしても良いし、押釦(１２)と肩カバー(１０)を螺着関係に形成しても良い。
【００２８】
そして、ステム(４)の噴出部(５)の上部に臨ませて、押釦(１２)に設けた収納室(２１)を配置している。この収納室(２１)は断面コ字型の装着体(９)を押釦の凹部(１９)に挿入することにより形成している。また、噴出部(５)と収納室(２１)とは、押釦(１２)を押し下げて肩カバー(１０)に固定すると、噴出部(５)と収納室(２１)とが連通する位置に合わせて形成している。また、この収納室(２１)は、噴射ノズル(１８)と連通している。
【００２９】
また、収納室(２１)には、エアゾール内容物の噴出圧力で流動可能な高粘度物(２３)を収納している。この高粘度物(２３)は、ロジンエステル等の特殊樹脂やシリコン樹脂等を使用する事により、エアゾール内容物と接触しても、化学変化が起こりにくいものとなる。また、高粘度物(２３)は、粘度を５，０００ｃＰ〜２，０００，０００ｃＰとしている。そのため、エアゾール内容物の噴出圧力で、噴射ノズル(１８)を目詰まりさせる事なく高粘度物(２３)の排出が行われ、この排出も粘性や分量に応じて、一定の時間を経過しながら行われるものとなる。また、高粘度物(２３)の粘度が５，０００ｃｐよりも低いと、噴射ノズル(１８)から外部に短時間で排出され、操作者が室外に退去可能な充分なタイムラグを設ける事ができないものとなる。また、高粘度物(２３)の粘度が２，０００，０００ｃＰよりも高いと、噴射ノズル(１８)が目詰まりして、外部に噴射されなくなる虞れがある。
【００３０】
また、収納室(２１)は、装着体(９)の噴出部(５)側を封印シール等の封印部(２４)で密封する事により、収納室(２１)の下端からの高粘度物(２３)の漏れと乾燥を防止している。そして、押釦(１２)をステム(４)方向に下降すると、ステム(４)の噴出部(５)の鋭利な先端で、この封印部(２４)を破断可能としている。また、この封印部(２４)は、ポリエチレンフィルムで形成する事により、高粘度物(２３)の成分や重量で容易に破壊される事がなく、噴出部(５)の先端では、容易に破断可能なものとしている。
【００３１】
また、封印部(２４)は、押釦(１２)、装着体(９)とは別個に形成した封印シールを用いる必要は必ずしも無く、他の異なる実施例としては、図５に示す如く、押釦(１２)形成時に、凹部(１９)の下端を開放することなく、噴出部(５)で破損可能な封印部(２４)を肉薄に一体成形する事により、封印部(２４)とする事も可能である。
【００３２】
また、噴出部(５)の先端による封印部(２４)の破断の位置合わせを正確なものとし、噴出部(５)と収納室(２１)との連通を確実なものとするために、押釦(１２)は、収納室(２１)の下端に、ステム(４)を密接に導入可能な筒状の導入部(２５)を設けている。この導入部(２５)へステム(４)の先端部を導入する事により、押釦(１２)とステム(４)とが確実に係合するので、押釦(１２)がステム(４)の押圧を安定して行う事も可能となる。更に、導入部(２５)の内周とステム(４)の外周とが密着する事により、噴出部(５)と収納室(２１)との連通部分からのエアゾール内容物の漏れを防ぐ事ができる。
【００３３】
また、噴射ノズル(１８)は、図１に示す如く、噴出側をポリエチレン、ポリプロピレン等の乾燥防止フィルム(２６)で被覆する事により、収納室(２１)の高粘度物(２３)が噴出ノズル(１８)から外部に漏れたり、乾燥固化するのを防止している。
【００３４】
上述の如く構成したものに於て、エアゾール内容物の噴射を行おうとする場合には、噴射ノズル(１８)を密閉する乾燥防止フィルム(２６)を剥がす。次に、押釦(１２)を保持して軽く押圧しながら回動する事により、ヒンジ部(１７)が破断され押釦(１２)を操作可能となるとともに、押釦(１２)の外周に突出している係合鍔(２０)が、肩カバー(１０)の嵌合間隔(１５)を通過して下降し、嵌合鍔(１４)の係合テーパー面(１６)と接触する。その後の押釦(１２)の継続的な回動により、係合鍔(２０)が係合テーパー面(１６)を摺動しながらマウンテンカップ(２)方向に下降するので、押釦(１２)がステム(４)方向に下降する。
【００３５】
すると、押釦(１２)の導入部(２５)にステム(４)の上端が導入され、押釦(１２)とステム(４)とが係合する。この係合により、図２に示す如く、噴出部(５)の先端が封印部(２４)を破断して、噴出部(５)と収納室(２１)とが連通するとともに、押釦(１２)がステム(４)をエアゾール容器(１)方向に押圧する。このステム(４)の押圧により、ステムガスケット(３)が弾性変形してオリフィス(７)を開弁し、バルブ機構(６)とステム(４)とが連通してエアゾール内容物を噴射可能とする。
【００３６】
そして、このバルブ機構(６)の開弁状態は、係合テーパー面(１６)の下端に係合鍔(２０)が係合した状態となっているので、連続開弁状態が保たれるものとなる。また、連続開弁状態を安定良く行わせるためには、係合テーパー面(１６)の下端部分に平坦部(２７)を形成すれば、更に安定良く係合鍔(２０)を保持する事ができる。
【００３７】
そして、エアゾール内容物がステム(４)の噴出部(５)から収納室(２１)内に噴射される。この場合、ステム(４)を押釦(１２)の導入部(２５)に密接して導入している事により、噴出部(５)と収納室(２１)との連通部分から、エアゾール内容物が漏れる事がなく、収納室(２１)に確実に噴射される。しかし、収納室(２１)に収納する高粘度物(２３)に阻まれ、エアゾール内容物は直ちには噴射ノズル(１８)から噴出される事はない。まず、エアゾール内容物の噴出圧力により、高粘度物(２３)が収納室(２１)内を噴射ノズル(１８)方向に流動して、噴射ノズル(１８)から外部に排出される。この排出は、噴射ノズル(１８)を目詰まりさせる事なく行われ、その粘度や分量に応じて一定の時間を経過しながら行われる。
【００３８】
このように、高粘度物(２３)が排出される間はエアゾール内容物が噴射されないため、噴射開始操作を行った操作者は、エアゾール内容物の噴射開始前に室外に退去する事ができる。そして、操作者の室外退去後に、高粘度物(２３)の排出が完了し、図３に示す如く、エアゾール内容物は収納室(２１)を通過して、噴射ノズル(１８)から外部に連続的に噴射される。そして、ステム(４)や噴射ノズル(１８)は、封印部(２４)の破片や高粘度物(２３)で目詰まりする事なく、エアゾール内容物の良好な噴射が可能となる。
【００３９】
また、上記第１実施例では、噴射ノズル(１８)の上面を乾燥防止フィルム(２６)で密閉しているが、他の異なる第２実施例では、図６に示す如く、押釦(１２)にキャップ(２８)を接続する事により噴射ノズル(１８)を密閉している。そして、噴出ノズル(１８)の外周位置の天板(３０)を、上部方向に円筒状に突設する事により、キャップ(２８)を接続するための接続部(３１)を設けている。
【００４０】
また、キャップ(２８)は、図１１に示す如く、円筒状の外周部(３２)と底部(３３)とで断面コ字型の回収部(３４)を形成し、この回収部(３４)には、噴射ノズル(１８)から排出される高粘度物(２３)を収納可能としている。また、キャップ(２８)は、回収部(３４)の開口部(３５)側及び底部(３３)側のどちらの向きからも押釦(１２)の接続部(３１)に接続可能としている。そして、外周部(３２)は、中央部の外面に水平に突出して係止鍔(３６)を設けるとともに、この係止鍔(３６)を挟んで一対の係合突条(３７)(３８)を環状に形成している。また、押釦(１２)の接続部(３１)は、内周面の上端側を環状に突設して、係合突条(３７)(３８)の何れかを係合可能な係合受部(４０)を設けている。
【００４１】
また、キャップ(２８)は、図７に示す如く、開口部(３５)を噴射ノズル(１８)側に配置してキャップ(２８)を接続部(３１)に接続する場合に、キャップ(２８)の下端外周を押釦(１２)の天板(３０)の上面に密着可能に形成している。更に、キャップ(２８)の下端の内側縁を円周状に切り取る事により、キャップ(２８)の下端と押釦(１２)の天板(３０)上面との間に、噴射ノズル(１８)と連通する流通間隔(４１)を設けている。また、キャップ(２８)の外周部(３２)は、底部(３３)側の縁をテーパー状に面取りして噴出テーパー面(４２)を形成している。そして、図１０に示す如く、この噴出テーパー面(４２)に開口するエアゾール内容物の噴出路(４３)を外周部(３２)に複数個形成するとともに、図９、図１０に示す如く、この噴出路(４３)と流通間隔(４１)とを連通させている。
【００４２】
そして、キャップ(２８)は、出荷時には、図６に示す如く、底部(３３)を押釦(１２)側に配置して接続部(３１)に接続している。この接続は、底部(３３)側の係合突条(３７)を接続部(３１)の係合受部(４０)に係合するとともに、接続部(３１)の上端に、キャップ(２８)の係止鍔(３６)を配置して行う。そして、この接続により、キャップ(２８)の底部(３３)が噴射ノズル(１８)の上面に密着し、高粘度物(２３)の噴射ノズル(１８)からの漏れや乾燥を良好に防ぐものとなる。また、係合突条(３７)と係合受部(４０)との係合により、運搬時の振動等で、キャップ(２８)が押釦(１２)から簡単に外れる事がないものとなる。また、キャップ(２８)の噴出路(４３)を噴出テーパー面(４２)に開口しているため、この接続状態では噴出路(４３)と噴射ノズル(１８)とが連通する事はないので、噴出路(４３)から高粘度物(２３)が漏れる事がないものとなる。
【００４３】
そして、エアゾール内容物を噴射する際は、キャップ(２８)をいったん接続部(３１)から取り外し、図７に示す如く、開口部(３５)を噴射ノズル(１８)側に配置してキャップ(２８)を再び接続部(３１)に接続する。この取り外しの際は、係止鍔(３６)を摘んでキャップ(２８)を持ち上げる事により、簡単に取り外す事ができる。また、接続時は、係止鍔(３６)を接続部(３１)の上端に水平に係合するとともに、開口部(３５)側の係合突条(３８)を接続部(３１)の係合受部(４０)に係合する。
【００４４】
その結果、押釦(１２)の天板(３０)上面にキャップ(２８)の下端外周縁が密着して、高粘度物(２３)やエアゾール内容物の外部への漏れを防ぐし、エアゾール内容物の噴出圧力で、キャップ(２８)が接続部(３１)から容易に外れる事がないものとなる。またこの接続により、キャップ(２８)の回収部(３４)と噴射ノズル(１８)とが連通するとともに、流通間隔(４１)を介して回収部(３４)と噴出路(４３)とが連通しているので、噴射ノズル(１８)と噴出路(４３)とが連通し、エアゾール内容物を外部に噴射可能となる。
【００４５】
そして、第１実施例と同様に、押釦(１２)を回動して、連続噴射機構を働かせる事により、図７に示す如く、バルブ機構(６)が開弁するとともに、ステム(４)の噴出部(５)と収納室(２１)とが連通し、エアゾール容器(１)内のエアゾール内容物が、噴出部(５)を介して収納室(２１)内に噴射される。
【００４６】
すると、このエアゾール内容物の噴出圧力により、図７、図９に示す如く、収納室(２１)に収納してある高粘度物(２３)が噴射ノズル(１８)から一定時間を経過しながら排出される。この高粘度物(２３)は、噴射ノズル(１８)と連通するキャップ(２８)の回収部(３４)内に蓄えられる。また、高粘度物(２３)は、粘性があるため、キャップ(２８)の流通間隔(４１)から噴出路(４３)側に流動する事がないし、キャップ(２８)の下端外周縁が押釦(１２)の天板(３０)上面に密着しているので、外部に漏れる事がなく、回収部(３４)に滞留するものとなる。
【００４７】
この収納室(２１)からの高粘度物(２３)の排出が完了すると、エアゾール内容物が噴射ノズル(１８)から噴射される。そして、エアゾール内容物の連続的な噴出圧力により、図８、図１０に示す如く、回収部(３４)の高粘度物(２３)は底部(３３)方向に押し上げられるとともに、回収部(３４)の内部圧力が上昇する。この内部圧力の上昇により、エアゾール内容物は、流通間隔(４１)を通過して噴出路(４３)に直接流動し、この噴出路(４３)から室内に連続的に噴射される。このように、高粘度物(２３)は外部に排出されずにキャップ(２８)の回収部(３４)に回収されるため、室内を汚す事がないものとなる。
【００４８】
一方、第１実施例の場合は、高粘度物(２３)は、噴射ノズル(１８)から外部に直接排出されるので、壁面に飛び散ったり、床に落下したりして室内を汚す虞れがあるが、噴射ノズル(１８)を乾燥防止フィルム(２６)で被覆するだけなので、第２実施例の如くキャップを製造する等の手間がなく、製造工程や製造技術を簡略化し、低コストな製品を得る事がとなる。
【００４９】
また、上記各実施例では、ステム(４)の噴出部(５)は、先端を鋭角に形成しているが、封印部(２４)を容易に破断可能であれば、必ずしも先端を鋭角に形成する必要はなく、任意形状とする事ができる。例えば、ステム(４)の噴出部(５)を、図１２に示す如く、先端をフラット状に形成しても良い。
【００５０】
【発明の効果】
本発明は上述の如く構成したものであるから、エアゾール内容物の連続噴射に於て、噴射開始操作を行ってから実際にエアゾール内容物が噴射されるまでの間にタイムラグを設ける事ができ、このタイムラグによる遅延時間内に操作者が安全に室外に退避する事ができる。また、この遅延噴射機構は、エアゾール内容物の噴出経路内に高粘度物を収納する事により構成しているから、複雑な機構を用いる事がなく、信頼性の高い製品を廉価に得る事が可能となるものである。
【００５１】
また、この高粘度物は、エアゾール容器内部と隔絶された収納室に収納しているので、化学変化を起こす事がなく、エアゾール内容物の良好な噴射が可能となるものである。
【図面の簡単な説明】
【図１】本発明の第１実施例を示す断面図。
【図２】第１実施例に於ける、高粘度物の連続噴射状態を示す断面図。
【図３】第１実施例に於ける、エアゾール内容物の連続噴射状態を示す断面図。
【図４】図１の平面図。
【図５】封印部部分の異なる実施例を示す拡大断面図。
【図６】第２実施例を示す断面図。
【図７】第２実施例に於ける、高粘度物の回収部への連続噴射状態を示す断面図。
【図８】第２実施例に於ける、エアゾール内容物の連続噴射状態を示す断面図。
【図９】図７の主要部分の拡大図
【図１０】図８の主要部分の拡大図
【図１１】キャップの一部切り欠き全体斜視図。
【図１２】噴出部の異なる実施例を示す拡大断面図。
【符号の説明】
１  エアゾール容器
２  マウンテンカップ
４  ステム
５  噴出部
１０  肩カバー
１２  押釦
１３  装着口
１６  係合テーパー面
１８  噴射ノズル
２０  係合鍔
２１  収納室
２３  高粘度物
２４  封印部
２５  導入部
２８  キャップ
３０  天板
３２  外周部
３４  回収部
４１  流通間隔
４３  噴出路
【図１】
0003920410.tif 000002
【図２】
0003920410.tif 000003
【図３】
0003920410.tif 000004
【図４】
0003920410.tif 000005
【図５】
0003920410.tif 000006
【図６】
0003920410.tif 000007
【図７】
0003920410.tif 000008
【図８】
0003920410.tif 000009
【図９】
0003920410.tif 000010
【図１０】
0003920410.tif 000011
【図１１】
0003920410.tif 000012
【図１２】
0003920410.tif 000013